(57)【要約】      （修正有）【課題】選択可能な処理項目が多い場合でもユーザーが容易な操作で処理項目を選択できる電子機器を提供する。【解決手段】電子機器１００は、タッチパネル５と、記憶部７と、判定部６１と、機能特定部６２と、項目特定部６３と、表示制御部６４と、処理実行部６５とを備える。判定部６１は、タッチパネル５に対する第１の操作時に取得された生体データが、登録ユーザーの１以上の生体データ７４のいずれかと一致するか否かを判定する。機能特定部６２は、判定の結果が肯定的である場合、第１の操作で指定された第１の機能を特定する。項目特定部６３は、第１の機能に関する１以上の処理項目を特定する。表示制御部６４は、１以上の処理項目のうちの選択中の処理項目をタッチパネル５に対する第２の操作で変更させるための選択画面５Ｂをタッチパネル５に表示させる。処理実行部６５は、第１の操作が終了した場合、選択中の処理項目の処理を実行する。【選択図】図５
2016062314.tif 000002
【特許請求の範囲】
【請求項１】
１以上の機能を所定のユーザーに提供する電子機器であって、
タッチパネルと、記憶部と、制御部とを備え、
前記タッチパネルは、
表示部と、
第１の指による第１の操作と第２の指による第２の操作とを受け付け、前記第１の操作時に前記第１の指の生体データを取得する操作受け付け部と、
を備え、
前記記憶部は、
前記１以上の機能と１以上の指の種類との対応関係を示す第１の対応情報と、
前記１以上の機能のそれぞれと、当該機能に関して前記ユーザーが実行を指示できる処理の項目である１以上の処理項目との対応関係を示す第２の対応情報と、
前記ユーザーの１種類以上の指のそれぞれの生体データと
を記憶し、
前記制御部は、
前記第１の指の生体データが、前記記憶部に記憶されている前記ユーザーの１種類以上の指の生体データのいずれかと一致するか否かを判定する判定部と、
前記判定の結果が肯定的である場合、前記第１の対応情報に基づいて、前記１以上の機能のうちの前記第１の操作で指定された第１の機能を特定する機能特定部と、
前記第２の対応情報に基づいて、前記第１の機能に関して前記ユーザーが実行を指示できる１以上の第１の処理項目を特定する項目特定部と、
前記第１の操作が継続されている間、前記１以上の第１の処理項目を示すとともに前記１以上の第１の処理項目のうちの選択中の第２の処理項目を前記第２の操作で変更させるための選択画面を、前記表示部に表示させる表示制御部と、
前記第１の操作が終了した場合、前記第２の処理項目の処理を実行する処理実行部と
を備える、電子機器。
【請求項２】
前記機能特定部は、前記第１の指の生体データが、前記記憶部に記憶されている前記ユーザーの第１の種類の指の生体データと一致した場合、前記第１の対応情報において前記第１の種類に対応付けられている機能を前記第１の機能として特定する、請求項１に記載の電子機器。
【請求項３】
前記選択画面には、前記１以上の第１の処理項目のそれぞれに対応する１以上の第１のアイコンが配置され、
前記選択画面は、前記１以上の第１のアイコンのうちのどの第１のアイコンが前記第２の処理項目に対応する選択中の第２のアイコンであるかを示し、
前記表示制御部は、前記第２の操作に基づいて、前記第２のアイコンを変更させる、請求項１又は２に記載の電子機器。
【請求項４】
前記第１の操作は、前記操作受け付け部をタッチする操作であり、
前記第２の操作は、前記操作受け付け部をフリックする操作であり、
前記選択画面には、前記１以上の第１のアイコンが環状に並べて配置され、
前記表示制御部は、前記第２の操作が行われるごとに、前記第２のアイコンを、前記第２のアイコンの隣に配置されている一の前記第１のアイコンへ変更させる、請求項３に記載の電子機器。
【請求項５】
前記指の生体データは、指紋のパターンを示す指紋データ又は指静脈のパターンを示す指静脈データである、請求項１〜４のうちのいずれかに記載の電子機器。
【請求項６】
タッチパネルと記憶部とを備え、１以上の機能を所定のユーザーに提供する電子機器が行う方法であって、
前記記憶部は、
前記１以上の機能と１以上の指の種類との対応関係を示す第１の対応情報と、
前記１以上の機能のそれぞれと、当該機能に関して前記ユーザーが実行を指示できる処理の項目である１以上の処理項目との対応関係を示す第２の対応情報と、
前記ユーザーの１種類以上の指のそれぞれの生体データと
を記憶し、
前記タッチパネルに対する第１の指による第１の操作時に取得された前記第１の指の生体データが、前記記憶部に記憶されている前記ユーザーの１種類以上の指の生体データのいずれかと一致するか否かを判定するステップと、
前記判定の結果が肯定的である場合、前記第１の対応情報に基づいて、前記１以上の機能のうちの前記第１の操作で指定された第１の機能を特定するステップと、
前記第２の対応情報に基づいて、前記第１の機能に関して前記ユーザーが実行を指示できる１以上の第１の処理項目を特定するステップと、
前記第１の操作が継続されている間、前記１以上の第１の処理項目を示すとともに前記１以上の第１の処理項目のうちの選択中の第２の処理項目を前記タッチパネルに対する第２の指による第２の操作で変更させるための選択画面を、前記タッチパネルに表示させるステップと、
前記第１の操作が終了した場合、前記第２の処理項目の処理を実行するステップと
を含む、方法。
【発明の詳細な説明】
【技術分野】
【０００１】
本発明は、タッチパネルを備える電子機器及び当該電子機器が行う方法に関する。
【背景技術】
【０００２】
従来、ユーザーが、複数の処理項目のうちの一の処理項目を容易な操作で選択できる装置が知られている（例えば、特許文献１参照）。ここで、処理項目は、装置においてユーザーが実行を指示できる処理の項目である。
【０００３】
特許文献１に開示の入力装置は、タッチパネルと、記憶手段と、判定手段と、指令生成手段とを備える。記憶手段は、指の生体情報、及び指の動きを表す軌跡情報を記憶する。判定手段は、タッチパネルに感圧する指と記憶手段に記憶される生体情報とを照合して指の種類を判定する。また、判定手段は、タッチパネルによって検出される指の動きと記憶手段に記憶される軌跡情報とが合致するか否かを判定する。指令生成手段は、判定手段によって指の種類が判定され、且つ検出される指の動きと軌跡情報とが合致するとき、判定手段によって判定される指の種類、及びタッチパネルによって検出される指の動きに対応する指令を生成して出力する。
【０００４】
上記入力装置によれば、ユーザーは、タッチパネルを指でタッチして予め登録しておいた動きどおりに指を動かすという容易な操作で、目的の処理項目、すなわち、タッチした指の種類及び動きに対応する処理項目を選択でき、当該項目処理の処理を実行させることができる。
【先行技術文献】
【特許文献】
【０００５】
【特許文献１】特開２００８−４６６９２号公報
【発明の概要】
【発明が解決しようとする課題】
【０００６】
しかしながら、特許文献１に開示の入力装置では、処理項目ごとに異なる指の動きが予め登録されている必要がある。従って、選択可能な処理項目の数が多ければ、ユーザーは、互いに異なる数多くの指の動きを考えてそれらを登録しておく必要があり、ユーザーにとって煩雑となる。また、登録される指の動きが多くなれば、ユーザーは、数多くの指の動きを対応する処理項目とともに覚えておかなければならず、ユーザーにとって煩雑となる。さらに、登録される指の動きが多くなれば、幾つかの指の動きは複雑になる。この場合、ユーザーは、当該複雑な動きに対応する処理項目を選択するために当該複雑な動きで指を動かす必要があり、操作が複雑になる。
【０００７】
本発明は、上記課題に鑑みてなされたものであり、その目的は、選択可能な処理項目が多い場合でもユーザーが容易な操作で処理項目を選択できる電子機器及び方法を提供することにある。
【課題を解決するための手段】
【０００８】
本発明の一観点に係る電子機器は、１以上の機能を所定のユーザーに提供する。前記電子機器は、タッチパネルと、記憶部と、制御部とを備える。前記タッチパネルは、表示部と、操作受け付け部とを備える。前記操作受け付け部は、第１の指による第１の操作と第２の指による第２の操作とを受け付け、前記第１の操作時に前記第１の指の生体データを取得する。前記記憶部は、第１の対応情報と、第２の対応情報と、前記ユーザーの１種類以上の指のそれぞれの生体データとを記憶する。前記第１の対応情報は、前記１以上の機能と１以上の指の種類との対応関係を示す。前記第２の対応情報は、前記１以上の機能のそれぞれと、当該機能に関して前記ユーザーが実行を指示できる処理の項目である１以上の処理項目との対応関係を示す。前記制御部は、判定部と、機能特定部と、項目特定部と、表示制御部と、処理実行部とを備える。前記判定部は、前記第１の指の生体データが、前記記憶部に記憶されている前記ユーザーの１種類以上の指の生体データのいずれかと一致するか否かを判定する。前記機能特定部は、前記判定の結果が肯定的である場合、前記第１の対応情報に基づいて、前記１以上の機能のうちの前記第１の操作で指定された第１の機能を特定する。前記項目特定部は、前記第２の対応情報に基づいて、前記第１の機能に関して前記ユーザーが実行を指示できる１以上の第１の処理項目を特定する。前記表示制御部は、前記第１の操作が継続されている間、前記１以上の第１の処理項目を示すとともに前記１以上の第１の処理項目のうちの選択中の第２の処理項目を前記第２の操作で変更させるための選択画面を、前記表示部に表示させる。前記処理実行部は、前記第１の操作が終了した場合、前記第２の処理項目の処理を実行する。
【０００９】
本発明の別の観点に係る方法は、タッチパネルと記憶部とを備え、１以上の機能を所定のユーザーに提供する電子機器が行う方法である。前記記憶部は、第１の対応情報と、第２の対応情報と、前記ユーザーの１種類以上の指のそれぞれの生体データとを記憶する。前記第１の対応情報は、前記１以上の機能と１以上の指の種類との対応関係を示す。前記第２の対応情報は、前記１以上の機能のそれぞれと、当該機能に関して前記ユーザーが実行を指示できる処理の項目である１以上の処理項目との対応関係を示す。前記方法は、第１のステップと、第２のステップと、第３のステップと、第４のステップと、第５のステップとを含む。前記第１のステップは、前記タッチパネルに対する第１の指による第１の操作時に取得された前記第１の指の生体データが、前記記憶部に記憶されている前記ユーザーの１種類以上の指の生体データのいずれかと一致するか否かを判定するステップである。前記第２のステップは、前記判定の結果が肯定的である場合、前記第１の対応情報に基づいて、前記１以上の機能のうちの前記第１の操作で指定された第１の機能を特定するステップである。前記第３のステップは、前記第２の対応情報に基づいて、前記第１の機能に関して前記ユーザーが実行を指示できる１以上の第１の処理項目を特定するステップである。前記第４のステップは、前記第１の操作が継続されている間、前記１以上の第１の処理項目を示すとともに前記１以上の第１の処理項目のうちの選択中の第２の処理項目を前記タッチパネルに対する第２の指による第２の操作で変更させるための選択画面を、前記タッチパネルに表示させるステップである。前記第５のステップは、前記第１の操作が終了した場合、前記第２の処理項目の処理を実行するステップである。
【発明の効果】
【００１０】
本発明によれば、選択可能な処理項目が多い場合でもユーザーが容易な操作で処理項目を選択できる電子機器及び方法が提供される。
【図面の簡単な説明】
【００１１】
【図１】図１は、実施形態に係る電子機器の一例としての画像形成装置の一例の構成図である。
【図２】図２は、実施形態に係るタッチパネルの一例の断面図である。
【図３】図３は、実施形態に係る認証画面の一例の構成図である。
【図４】図４は、実施形態に係る選択画面の一例の構成図である。
【図５】図５は、実施形態に係る画像形成装置の一例のブロック図である。
【図６】図６は、実施形態に係る第１の対応情報の一例の構成図である。
【図７】図７は、実施形態に係る第２の対応情報の一例の構成図である。
【図８】図８は、実施形態に係る画像形成装置が行う処理のフローチャートである。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１３】
図１は、実施形態に係る電子機器の一例としての画像形成装置１００の一例の構成図である。
【００１４】
画像形成装置１００は、例えば複合機（ＭＦＰ：Multi Function Peripheral）である。画像形成装置１００は、複数の機能を有し、複数の機能のうちの１以上の機能を、予め登録されている登録ユーザーに提供する。画像形成装置１００が有する機能として、例えば、コピー機能、スキャナー機能、及びＦＡＸ（ファクシミリ）機能がある。以下、画像形成装置１００が登録ユーザーに提供する機能を「提供機能」という。画像形成装置１００は、シートＳに画像を形成する画像形成ユニット１と、原稿の画像を読み取る画像読取ユニット２と、読み取り対象の原稿を搬送する原稿搬送ユニット３と、ユーザーに画像形成装置１００を操作させるための操作部４とを備える。
【００１５】
画像形成ユニット１は、給紙カセット１１と、給紙ローラー１２と、搬送ローラー対１３と、レジストローラー対１４と、画像形成部１５と、定着部１６と、排出ローラー対１７と、排出トレイ１８とを備える。給紙ローラー１２は、給紙カセット１１からシートＳを１枚ずつ繰り出す。給紙ローラー１２によって繰り出されたシートＳは、搬送ローラー対１３及びレジストローラー対１４によって画像形成部１５まで搬送される。
【００１６】
画像形成部１５は、給紙カセット１１から搬送されてきたシートＳに画像を形成する。画像形成部１５は、感光体ドラム１５１と、帯電装置１５２と、露光装置１５３と、現像装置１５４と、転写ローラー１５５と、クリーニング装置１５６とを備える。帯電装置１５２は、感光体ドラム１５１を所定の電位に帯電させる。露光装置１５３は、画像データに基づきレーザー光を出力して感光体ドラム１５１を露光することで、画像データに応じた静電潜像を感光体ドラム１５１上に形成する。画像データとしては、例えば、画像読取ユニット２が原稿を読み取って生成した画像データ、又は通信ネットワークを介して外部のコンピューターから受信した画像データが用いられる。
【００１７】
現像装置１５４は、感光体ドラム１５１上の静電潜像にトナーを供給して現像し、感光体ドラム１５１上にトナー像を形成する。転写ローラー１５５は、感光体ドラム１５１上のトナー像をシートＳに転写する。具体的には、転写ローラー１５５が感光体ドラム１５１に圧接されることにより、第１ニップ部が形成される。そして、シートＳが第１ニップ部を通過する際、所定の電圧が転写ローラー１５５に印加され、感光体ドラム１５１上のトナー像がシートＳに転写される。クリーニング装置１５６は、転写後に感光体ドラム１５１に残留する残留トナーを除去する。
【００１８】
定着部１６は、シートＳに形成された画像（トナー像）をシートＳに熱定着させる。定着部１６は、発熱体を内蔵する加熱ローラーと、加圧ローラーとを備える。加熱ローラー及び加圧ローラーは、それらが圧接されることにより、第２ニップ部を形成する。シートＳが第２ニップ部を通過することで、シートＳの表面のトナーが溶融及び加熱され、トナー像がシートＳに定着する。トナー像が定着されたシートＳは、排出ローラー対１７によって第１排出トレイ１８へ排出される。
【００１９】
操作部４は、複数の操作キー４１と、タッチパネル５とを備える。操作キー４１は、ユーザーが画像形成装置１００に対して情報を入力するためのハードキーである。操作キー４１としては、例えば、コピー等の各種機能の実行開始を指示するためのスタートキーや、印刷部数等を入力するためのテンキーがある。
【００２０】
図２は、実施形態に係るタッチパネル５の一例の断面図である。
【００２１】
図２に示すように、タッチパネル５は、筐体５０と、表示面５１１を有する表示部５１と、操作面５２１を有する操作受け付け部５２とを備える。表示部５１及び操作受け付け部５２は、筐体５０内に収容され、筐体５０により支持される。表示部５１の端部と操作受け付け部５２の端部との間には、弾性部材５３が設けられ、表示部５１と操作受け付け部５２とが、所定間隔を隔てて上下に重ねて配置される。
【００２２】
表示部５１は、例えば液晶ディスプレーである。表示部５１の表示面５１１には、種々の画面が表示される。表示部５１に表示される画面には、画像形成装置１００に関する種々の情報の表示領域、文字入力を行うためのソフトキー、実行を指示する処理項目を登録ユーザーに選択させるためのアイコン等が配置される。ここで、処理項目は、画像形成装置１００において登録ユーザーが実行を指示できる処理の項目である。表示部５１に表示される画面として、認証画面５Ａ（図３参照）、選択画面５Ｂ（図４参照）等がある。
【００２３】
操作受け付け部５２は、表示部５１の表示面５１１側に配置される。操作受け付け部５２は、その全部又は一部が透明又は半透明の部材により構成される。表示面５１１に表示された画面は、操作受け付け部５２を介してユーザーに視認される。
【００２４】
操作受け付け部５２は、操作面５２１に対する操作を受け付ける。操作面５２１に対する操作として、操作面５２１を指でタッチする操作（以下「タッチ操作」という）や、操作面５２１を指でフリックする操作（以下「フリック操作」という）等がある。操作受け付け部５２は、操作面５２１に対する操作を受け付けた場合、そのことを示す検出信号を制御部６（図５参照）へ送信する。
【００２５】
また、操作受け付け部５２は、表示部５１に認証画面５Ａが表示されているときのタッチ操作時に、当該タッチ操作を行った指の指紋データ（生体データの一例）を取得する。操作受け付け部５２による指紋データの取得の方式として、種々の方式、例えば光学式又は静電容量方式が採用される。光学式が採用される場合、例えば、操作受け付け部５２は、発光素子及び受光素子を備える。そして、操作受け付け部５２は、タッチ操作を行った指に向けて光を照射してその反射光を検出し、検出した反射光に基づいて、指紋データとしての指紋画像を生成する。また、静電容量方式が採用される場合、例えば、操作受け付け部５２は、操作面５２１上のタッチされた領域におけるセル（領域の小区分）ごとの静電容量を検出し、検出した各セルの静電容量に基づいて、指紋データとしての指紋画像を生成する。
【００２６】
図３は、実施形態に係る認証画面５Ａの一例の構成図である。図４は、実施形態に係る選択画面５Ｂの一例の構成図である。
【００２７】
表示部５１に認証画面５Ａが表示されているときに第１の指８１によるタッチ操作が行われると、画像形成装置１００は、操作受け付け部５２が取得した第１の指８１の指紋データに基づいて、画像形成装置１００を実際に利用しているユーザー（以下「対象ユーザー」という）が登録ユーザーであるか否かの認証（ユーザー認証）を行う。そして、画像形成装置１００は、対象ユーザーが登録ユーザーであると判定した場合、すなわちユーザー認証に成功した場合に、表示部５１に選択画面５Ｂを表示する。以下、表示部５１に認証画面５Ａが表示されているときの第１の指８１によるタッチ操作を「第１の操作」という。
【００２８】
画像形成装置１００は、第１の操作が行われてユーザー認証に成功した場合、１以上の提供機能のうちの第１の操作で指定された提供機能、具体的には第１の指８１の種類に対応付けられている提供機能（以下「第１の機能」という）を特定する。そして、画像形成装置１００は、第１の機能に関して登録ユーザーである対象ユーザーが実行を指示できる１以上の処理項目（以下、それぞれを「第１の処理項目」という）を特定する。
【００２９】
選択画面５Ｂは、１以上の第１の処理項目を示すとともに、１以上の第１の処理項目のうちの選択中の処理項目（以下「第２の処理項目」という）を第２の指８２による操作で変更させるための画面である。選択画面５Ｂには、１以上の第１の処理項目のそれぞれに対応する１以上のアイコン（以下、それぞれを「第１のアイコン」という）５４が、例えば環状に並べて配置される。また、選択画面５Ｂは、１以上の第１のアイコン５４のうちのどの第１のアイコン５４が、第２の処理項目に対応する選択中のアイコン（以下「第２のアイコン」という）５５であるかを示している。本実施形態において、第２のアイコン５５は、選択画面５Ｂの中央に配置される。以下、表示部５１に選択画面５Ｂが表示されているときの第２の指８２による操作（第２の処理項目を変更させるための操作）を「第２の操作」という。本実施形態において、第２の操作は、フリック操作である。
【００３０】
図４（ａ）は、コピー機能が指定された場合、具体的にはコピー機能に対応付けられている種類の指（本実施形態では、人差指）で第１の操作が行われた場合に表示される選択画面５Ｂの一例を示している。
【００３１】
図４（ａ）に示す例では、コピー機能設定、通常コピー、及び節約コピーの３つの第１の処理項目に対応する３つの第１のアイコン５４が環状に並べて配置されている。すなわち、図４（ａ）に示す選択画面５Ｂは、コピー機能に関する対象ユーザーの処理項目が、コピー機能設定、通常コピー、及び節約コピーの３つであることを示している。また、図４（ａ）に示す例では、コピー機能設定に対応する第１のアイコン５４が、中央に配置されて第２のアイコン５５（選択中のアイコン）となっている。すなわち、図４（ａ）に示す選択画面５Ｂは、コピー機能設定が第２の処理項目（選択中の処理項目）となっていることを示している。対象ユーザーは、第２の指８２（例えば、中指）による第２の操作に基づいて、第２のアイコン５５を他の第１のアイコン５４へ変更させることで、第２の処理項目をコピー機能設定から他の第１の処理項目へ変更させることができる。
【００３２】
図４（ｂ）は、スキャナー機能が指定された場合、具体的にはスキャナー機能に対応付けられている種類の指（本実施形態では、中指）で第１の操作が行われた場合に表示される選択画面５Ｂの一例を示している。
【００３３】
図４（ｂ）に示す例では、スキャナー機能設定、送信、及び送信先登録の３つの第１の処理項目に対応する３つの第１のアイコン５４が環状に並べて配置されている。すなわち、図４（ｂ）に示す選択画面５Ｂは、スキャナー機能に関する対象ユーザーの処理項目が、スキャナー機能設定、送信、及び送信先登録の３つであることを示している。また、図４（ｂ）に示す例では、スキャナー機能設定に対応する第１のアイコン５４が、中央に配置されて第２のアイコン５５（選択中のアイコン）となっている。すなわち、図４（ｂ）に示す選択画面５Ｂは、スキャナー機能設定が第２の処理項目（選択中の処理項目）となっていることを示している。対象ユーザーは、第２の指８２（例えば、人差指）による第２の操作に基づいて、第２のアイコン５５を他の第１のアイコン５４へ変更させることで、第２の処理項目をスキャナー機能設定から他の第１の処理項目へ変更させることができる。
【００３４】
図５は、実施形態に係る画像形成装置１００の一例のブロック図である。
【００３５】
画像形成装置１００は、画像形成ユニット１、画像読取ユニット２、原稿搬送ユニット３、及び操作部４に加えて、制御部６と、記憶部７とを備える。画像形成ユニット１、画像読取ユニット２、原稿搬送ユニット３、操作部４、及び記憶部７は、制御部６と通信可能に接続される。
【００３６】
記憶部７は、ＲＯＭ（Read Only Memory）と、ＲＡＭ（Random Access Memory）と、二次記憶装置とを含む。二次記憶装置は、例えば、ハードディスクやフラッシュメモリー等の不揮発性の記憶装置である。記憶部７のＲＯＭには、制御部６によって実行される種々のコンピュータープログラムが記憶される。また、記憶部７には、第１の対応情報７１と、第２の対応情報７２と、指紋データベース７３とが記憶される。
【００３７】
第１の対応情報７１は、１以上の提供機能と１以上の指の種類との対応関係を示す情報である。第２の対応情報７２は、１以上の提供機能のそれぞれと、当該提供機能に関して登録ユーザーが実行を指示できる１以上の処理項目との対応関係を示す情報である。指紋データベース７３は、１以上の登録ユーザーの１以上の指紋データ７４を含む。具体的には、指紋データベース７３は、１以上の登録ユーザーのそれぞれについて、当該登録ユーザーの１種類以上の指のそれぞれの指紋データ７４を含む。第１の対応情報７１及び第２の対応情報７２の詳細については、図６及び図７を参照して後述する。
【００３８】
制御部６は、例えばＣＰＵ（Central Processing Unit）である。制御部６は、画像形成装置１００全体の動作を制御する。例えば、制御部６は、画像形成ユニット１を制御して、画像形成ユニット１に画像の形成を行わせる。また、制御部６は、画像読取ユニット２を制御して、画像読取ユニット２に原稿の画像の読み取りを行わせる。
【００３９】
また、制御部６は、タッチパネル５に表示信号を出力することにより、表示部５１に所望の画面を表示させ、又は表示部５１に表示されている画面上の情報を変更する。また、制御部６は、タッチパネル５から検出信号を受信した場合、操作受け付け部５２が受け付けた操作に応じた処理を行う。例えば、制御部６は、操作受け付け部５２が第１の操作を受け付けた場合、第１の操作を行った対象ユーザーのユーザー認証を行う。また、制御部６は、操作受け付け部５２が第２の操作を受け付けた場合、選択画面５Ｂ上の第２のアイコン５５を変更させる。制御部６は、判定部６１と、機能特定部６２と、項目特定部６３と、表示制御部６４と、処理実行部６５とを備える。
【００４０】
判定部６１は、操作受け付け部５２が第１の操作を受け付けた場合、対象ユーザーのユーザー認証を行う。具体的には、判定部６１は、操作受け付け部５２が取得した第１の指８１の指紋データが、記憶部７に記憶されている１以上の指紋データ、すなわち指紋データベース７３に含まれる１以上の指紋データ（以下、それぞれを「登録指紋データ」という）７４のいずれかと一致するか否かを判定する。
【００４１】
機能特定部６２は、判定部６１による判定の結果が肯定的である場合、すなわちユーザー認証に成功した場合、第１の対応情報７１に基づいて、第１の機能（第１の操作で指定された提供機能）を特定する。具体的には、機能特定部６２は、操作受け付け部５２が取得した第１の指８１の指紋データが、記憶部７に記憶されている登録ユーザーの第１の種類の指の指紋データ７４と一致した場合、第１の対応情報７１において第１の種類に対応付けられている提供機能を第１の機能として特定する。
【００４２】
項目特定部６３は、第２の対応情報７２に基づいて、１以上の第１の処理項目（第１の機能に関して対象ユーザーが実行を指示できる１以上の処理項目）を特定する。
【００４３】
表示制御部６４は、第１の操作が継続されている間、選択画面５Ｂを表示部５１に表示させる。また、表示制御部６４は、操作受け付け部５２が第２の操作を受け付けた場合、第２の操作に基づいて、選択画面５Ｂ上の第２のアイコン５５を変更させる。例えば、選択画面５Ｂにおいて１以上の第１のアイコン５４が環状に並べて配置されている場合、表示制御部６４は、フリック操作である第２の操作が行われるごとに、第２のアイコン５５を、第２のアイコン５５の隣に配置されている一の第１のアイコン５４へ変更させる。
【００４４】
処理実行部６５は、第１の操作が終了した場合、そのときに選択中となっている第１の処理項目、つまり第２の処理項目の処理を実行する。
【００４５】
制御部６の機能、並びに判定部６１、機能特定部６２、項目特定部６３、表示制御部６４、及び処理実行部６５の各機能は、制御部６が、ＲＯＭからＲＡＭにロードされた各種のコンピュータープログラムを実行することにより実現される。なお、判定部６１、機能特定部６２、項目特定部６３、表示制御部６４、及び処理実行部６５の各機能をソフトウェアで実現することに代えて、これらの機能を実現するハードウェアが、画像形成装置１００に搭載されてもよい。
【００４６】
図６は、実施形態に係る第１の対応情報７１の一例の構成図である。
【００４７】
第１の対応情報７１は、例えば図６に示すように、テーブル形式で表現される。第１の対応情報７１は、機能７１１のデータフィールドと、指の種類７１２のデータフィールドとを含む。機能７１１には、１以上の提供機能のそれぞれを示すデータ、例えば提供機能の名称又は識別子が格納される。指の種類７１２には、１以上の提供機能のそれぞれに対応付けられる１以上の指の種類を示すデータ、例えば指の種類の名称又は識別子が格納される。
【００４８】
例えば、図６に示す第１の対応情報７１は、コピー機能に人差指が対応付けられており、スキャナー機能に中指が対応付けられており、ＦＡＸ機能に薬指が対応付けられていることを示している。
【００４９】
図７は、実施形態に係る第２の対応情報７２の一例の構成図である。
【００５０】
第２の対応情報７２は、例えば図７に示すように、テーブル形式で表現される。第２の対応情報７２は、機能７２１のデータフィールドと、処理項目７２２のデータフィールドと、処理内容７２３のデータフィールドとを含む。機能７２１には、１以上の提供機能のそれぞれを示すデータ、例えば提供機能の名称又は識別子が格納される。処理項目７２２には、１以上の提供機能のそれぞれに関する登録ユーザーの１以上の処理項目を示すデータ、例えば処理項目の名称又は識別子が格納される。処理内容７２３には、各処理項目の処理の内容を示すデータが格納される。処理項目には、例えば、表示部５１に所定の画面を表示させる表示系の処理（コピー機能設定等の処理）や、画像形成装置１００に画像の形成等を行わせる実行系の処理（通常コピー、節約コピー等の処理）がある。
【００５１】
例えば、図７に示す第２の対応情報７２は、コピー機能に関する登録ユーザーの処理項目が、コピー機能設定、通常コピー、及び節約コピーの３つであることを示している。また、当該第２の対応情報７２は、コピー機能設定が選択された場合に、コピー機能のメイン画面が表示部５１に表示されることを示している。また、当該第２の対応情報７２は、通常コピーが選択された場合に、通常モードのコピーが実行されることを示している。また、当該第２の対応情報７２は、節約コピーが選択された場合に、節約モードのコピーが実行されることを示している。
【００５２】
なお、登録ユーザーが複数の場合は、例えば、登録ユーザーごとの複数の第２の対応情報７２が記憶部７に記憶される。複数の登録ユーザーのうちの第１の登録ユーザーに関する第２の対応情報７２は、１以上の提供機能のそれぞれと、当該提供機能に関して第１の登録ユーザーが実行を指示できる１以上の処理項目との対応関係を示す。このように、第２の対応情報７２が登録ユーザーごとに設けられることで、処理項目が登録ユーザーごとに異なるようにすることができる。
【００５３】
以下、本実施形態に係る画像形成装置１００が行う処理を説明する。
【００５４】
図８は、実施形態に係る画像形成装置１００が行う処理のフローチャートである。
【００５５】
まず、操作受け付け部５２は、第１の指８１による第１の操作を受け付けた場合（ステップＳ１０１：ＹＥＳ）、第１の指８１の指紋データを取得する（ステップＳ１０２）。なお、ステップＳ１０１で操作受け付け部５２が受け付けた第１の操作（以下「対象の第１の操作」という）は、ステップＳ１０９まで継続される。
【００５６】
次に、判定部６１は、ステップＳ１０２で操作受け付け部５２が取得した指紋データ（以下「取得指紋データ」という）と、１以上の登録指紋データ７４とに基づいて、第１の操作を行った対象ユーザーのユーザー認証を行う。具体的には、判定部６１は、取得指紋データが、１以上の登録指紋データ７４のいずれかと一致するか否かを判定する（ステップＳ１０３）。
【００５７】
取得指紋データが１以上の登録指紋データ７４のいずれとも一致しなかった場合、すなわちユーザー認証に失敗した場合（ステップＳ１０３：ＮＯ）、制御部６は、処理をステップＳ１０１へ進める。すなわち、ユーザー認証に失敗した場合、制御部６は、第１の操作を初めから受け付ける状態とする。
【００５８】
一方、取得指紋データが１以上の登録指紋データ７４のいずれかと一致した場合、すなわちユーザー認証に成功した場合（ステップＳ１０３：ＹＥＳ）、機能特定部６２は、第１の対応情報７１に基づいて、第１の機能を特定する（ステップＳ１０４）。具体的には、機能特定部６２は、取得指紋データが、１以上の登録指紋データ７４のうちの第１の種類の指の指紋データ７４と一致した場合、第１の対応情報７１において第１の種類に対応付けられている提供機能を第１の機能として特定する。
【００５９】
例えば、第１の対応情報７１が図６に示す第１の対応情報７１であり、第１の種類、つまり第１の操作を行った第１の指８１の種類が人差指であった場合は、第１の機能としてコピー機能が特定される。
【００６０】
その後、項目特定部６３は、第２の対応情報７２に基づいて、１以上の第１の処理項目を特定する（ステップＳ１０５）。
【００６１】
例えば、第２の対応情報７２が図７に示す第２の対応情報７２であり、第１の機能としてコピー機能が特定された場合は、第１の処理項目として、コピー機能設定、通常コピー、及び節約コピーの３つの処理項目が特定される。
【００６２】
その後、表示制御部６４は、対象の第１の操作が継続されている間、選択画面５Ｂを表示部５１に表示させる（ステップＳ１０６）。
【００６３】
第１の処理項目として、コピー機能設定、通常コピー、及び節約コピーの３つの処理項目が特定された場合は、例えば図４（ａ）に示す選択画面５Ｂが表示部５１に表示される。
【００６４】
その後、操作受け付け部５２が第２の操作を受け付けた場合（ステップＳ１０７：ＹＥＳ）、表示制御部６４は、第２の操作に基づいて、選択画面５Ｂ上の第２のアイコン５５を変更させる。これにより、第２の処理項目が変更される（ステップＳ１０８）。
【００６５】
一方、第２の操作が行われなかった場合（ステップＳ１０７：ＮＯ）、制御部６は、処理をステップＳ１０９へ進める。すなわち、この場合、第２の処理項目は、選択画面５Ｂが表示されたときに選択されていた第１の処理項目、すなわち初期設定された第２の処理項目のままで、変更されない。
【００６６】
その後、対象の第１の操作が終了するまで、すなわち対象の第１の操作の継続が解除されるまで、設定画面５Ｂが表示され、画像形成装置１００は、第２の操作の待ち状態となる（ステップＳ１０９：ＮＯ）。
【００６７】
その後、対象の第１の操作が終了した場合、すなわち対象の第１の操作の継続が解除された場合（ステップＳ１０９：ＹＥＳ）、処理実行部６５は、第２の処理項目の処理を実行する（ステップＳ１１０）。例えば、第２の処理項目がコピー機能設定である場合、処理実行部６５は、コピー機能のメイン画面を表示部５１に表示させる。その後、制御部６は、図８に示すフローチャートの処理を終了する。
【００６８】
本実施形態によれば、ユーザーは、第１の指８１による第１の操作を行うことで、複数の提供機能のうちの一の提供機能を指定するとともに、画像形成装置１００にユーザー認証を行わせることができる。また、ユーザーは、第１の操作を継続している間、第２の指８２による第２の操作を行うことで、実際に実行を指示する処理の項目を選択できる。従って、ユーザーは、選択可能な処理項目が多い場合でも、第１の操作及び第２の操作という２つの指８１、８２を用いた容易な操作で、目的の処理項目を選択できる。
【００６９】
以上、本発明の一つの実施形態を説明したが、本発明は、この実施形態に限定されるものでなく、その要旨を逸脱しない範囲で種々変更可能である。
【００７０】
例えば、本実施形態では、指の生体データは、指紋データであったが、これに限られず、第１の操作時に画像形成装置１００が取得可能なその他の指の生体データ、例えば指静脈のパターンを示す指静脈データであってもよい。
【００７１】
また、本実施形態では、第２の操作は、フリック操作であったが、これに限られず、その他の操作、例えば選択したい第１のアイコン５４をタッチする操作であってもよい。
【００７２】
また、本実施形態では、電子機器として画像形成装置１００を例示して説明したが、電子機器は、画像形成装置１００に限らず、タッチパネル５を備えるその他の電子機器、例えば携帯電話又はタブレットであってもよい。
【符号の説明】
【００７３】
１００  画像形成装置
５      タッチパネル
５１    表示部
５２    操作受け付け部
５４    第１のアイコン
５５    第２のアイコン
５Ａ    認証画面
５Ｂ    選択画面
６      制御部
６１    判定部
６２    機能特定部
６３    項目特定部
６４    表示制御部
６５    処理実行部
７      記憶部
７１    第１の対応情報
７２    第２の対応情報
７３    指紋データベース
７４    指紋データ
８１    第１の指
８２    第２の指
【図１】
2016062314.tif 000003
【図２】
2016062314.tif 000004
【図３】
2016062314.tif 000005
【図４】
2016062314.tif 000006
【図５】
2016062314.tif 000007
【図６】
2016062314.tif 000008
【図７】
2016062314.tif 000009
【図８】
2016062314.tif 000010